(57)【要約】【課題】  簡単な構造で、組み立が簡単に、重い物の収納でも、外ずれにくい底抜け防止函を提供すること。より外ずれにくく、折り畳めたり、コストの軽減を計ること。【解決手段】  側面に設けられた凸状と凹状の底面外フラップの端縁に、折返し連結片を折り目を介して設け、この折り目で側面の凸状の底面外フラップの折返し連結片を図面に対して外折として底面外フラップの図面に対して外側に重ね合わ、凹状の底面外フラップの折返し連結片を図面に対して内折として底面外フラップの図面に対して内側に重ね合わせた底抜け防止函である。凹状の底面外フラップに折り畳み用の斜めの折り目を設けたり、折返し連結片を切れ端を利用した別体の係合片とした。【選択図】      図１
2006131300.tif 000002
【特許請求の範囲】
【請求項１】
紙、段ボール板、紙製の厚板、プラスチック製シート、プラスチック段ボールを用いて側面の下端縁に凸状と凹状の底面外フラップと、つま面の下端縁に直角な底面内フラップと、側面の外端縁に継ぎしろとを設けた函において、
側面に設けられた凸状と凹状の底面外フラップの端縁に、所望長さで所望幅の折返し連結片を折り目を介して設け、この折り目で側面の凸状の底面外フラップの折返し連結片を図面に対して外折として底面外フラップの図面に対して外側に重ね合わ、凹状の底面外フラップの折返し連結片を図面に対して内折として底面外フラップ５の図面に対して内側に重ね合わせたことを特徴とする底抜け防止函。
【請求項２】
上記つま面の下端縁に設けた各底面内フラップを底面内フラップの先端部位をく字形とし、側面に設けられた凹状の底面外フラップの両基部と上記各底面内フラップの先端部位のく字形とを係合させたことを特徴とする請求項１に記載の底抜け防止函。
【請求項３】
上記側側面の下端縁にそれぞれ凹状の底面外フラップを設け、この二枚の凹状の底面外フラップの下端縁とつま面の下端縁との交差点から所望の角度で折り畳み用の傾斜罫線を設け、この傾斜罫線の所望の角度はつま面の下端縁に設けた台形の底面内フラップの傾斜と同じ角度であることを特徴とする請求項１に記載の底抜け防止函。
【請求項４】
上記所望長さで所望幅の係合片を別体で形成し、この係合片を凸状の底面外フラップの図面に対して外側と、凹状の底面外フラップの図面に対して内側の所望位置とに、これら係合片の所望位置が内側縁と係合片の外側縁とが面合わせで相対時するように接合したことを特徴とする請求項１乃至請求項３のいずれか１項に記載の底抜け防止函。
【発明の詳細な説明】
【技術分野】
【０００１】  本発明は、紙、段ボール板、紙製の厚板、プラスチック製シート、中空構造板、中空積層板で芯部材が一体成形による合成樹脂製の函の底抜け防止手段を施した組立式函に関する。
【背景技術】
【０００２】  近年、物流の効率化に伴い、輸送に使用する紙、段ボール板、紙製の厚板、プラスチック製シート、中空構造板、中空積層板で芯部材が一体成形による合成樹脂製の函を再利用するために、嵩ばらせないために折り畳みの状態として、輸送コストの低減を計らんとするが、そのコンパクト化に伴い効率よく折り畳み、或いは組み立てを効率よく、かつ確実にせんとするが、確実にせんとするとどうしても組み立て効率が落ち、組み立て効率を追及すると組み立てに不安な確実性に問題が生じてしまう。特に段ボール板、紙製の厚板、プラスチック製シート、中空構造板、中空積層板で芯部材が一体成形による合成樹脂製の函を使用する場合にユーザは、収納物として重い物品を入れて持ち運びすることが多々あり、このような時によく重い物品が函の底を抜いてしまい、物品を壊したり、運んでいる人の足に落下して傷を付けたりという思わぬ事故につながる。このような事故を防止せんと組み立てた函の底に、種々な接着テープを貼り、使用後にこの接着テープを剥がすと、接着テープの一部が貼った後に残ったり、または函の底が剥がれたりして再利用が進まなかった。また、特にプラスチック製シート、中空構造板、中空積層板で芯部材が一体成形による合成樹脂製の函の場合に紙製の容器のように簡単に部材を差し込んだり、外したりとの操作が容易にできない。そこで、特に段ボール板、紙製の厚板、プラスチック製シート、中空構造板、中空積層板で芯部材が一体成形による合成樹脂製の函の底抜け防止手段を簡単な構造で、函の従来の組み立てが簡単に、かつ重い物品でも確実に係合し、外ずれにくい底抜け防止手段を施した組立式函を提案した。【０００３】  従来のものは、
【特許文献１】特開２００１−２０５８号公報、
【特許文献２】特開平１１−５９６５５号公報、
【特許文献３】特開２００４−１８６８号公報、
【特許文献４】特開２００３−３１２６３８号公報、
【特許文献５】特開２００３−３００５１７号公報、
【特許文献６】特開２００３−１２８０４２号公報、
【特許文献７】特開２０００−３５５３２１号公報、
【特許文献８】特公昭５９−４０６９７号公報、
【特許文献９】特公平７−５９４２０号公報、
【特許文献１０】特公昭５８−２４３４２号公報、
【特許文献１１】実公昭４３−１５５４６号公報、
【特許文献１２】実公昭４３−１４５５８号公報、
【特許文献１３】実公昭４３−１１０６０号公報、
【特許文献１４】実公昭２８−３５９３号公報、
【特許文献１５】実開昭５９−３０８１３号公報、
【特許文献１６】実開昭４９−１００９２９号公報がある。特許文献１のように、底面の組み立て時に互いに噛み合う切り込みを前底片と背底片とに設けているが、このものは段ボール板、紙製の厚板、プラスチック製シート、中空構造板、中空積層板で芯部材が一体成形による合成樹脂製の函の場合には簡単に底片部材を差し込んだり、外したりとの操作が容易にできない、特許文献２のものは、底板に折り込み可能なフラップを形成し、側板に設けた底板を折り曲げた後、上記折り込み可能なフラップを側板に設けた底板を挟み込むようにしてロック状態にさせるもので、このものも段ボール板、紙製の厚板、プラスチック製シート、中空構造板、中空積層板で芯部材が一体成形による合成樹脂製の函の場合には簡単に挟み込むことが困難である、特許文献３のものは、天面内フラップの先端から中央部にかけて一対の係合切込を設け、天面外フラップに先端両隅部近傍に前記係合切込にかみ合一対の係合部を形成し、この係合切込と係合部が係合して内外のフラップをロックするものであるが、このものも段ボール板、紙製の厚板、プラスチック製シート、中空構造板、中空積層板で芯部材が一体成形による合成樹脂製の函の場合には簡単に内外のフラップをロックできにくい、特許文献４、５のものは、特許文献３のものと同じような切欠部および細幅溝と山形の係合突部で底面を封緘させるもので、このものもやはり合成樹脂製の函等の場合は、簡単に内外のフラップをロックしにくい、特許文献６、７のものは、差込片を抑制片を折り目を介して付設した切込に差し込むもので合成樹脂製の函等の場合は、簡単に差し込むことが大変であり、外したりとの操作は容易にできない、特許文献８のものは、内フラップの切込みに、側板の上端から離れる方向に切込みの部分から延び、側板の端部縁部と直角をなす切込み部と、この切込み部と直角をなす切込みとを設けて小片に突片を形成し、外フラップに上記突片の切込みの部分に該当する切起し片を設け、小片を押すことができる切込み或いは透孔を設けて、内外フラップを係合させたり、切込み或いは透孔から小片を押すことで容易に外フラップを外すものであるが、構造が複雑でこのものもやはり合成樹脂製の函等の場合は、簡単に操作できない、特許文献９のものは、錠止タブに端縁へ向かった山形の折り線、錠止タブの根部位の近くに先端と平行な折り線を設けて、錠止タブの差し込み操作を楽にしたものであるが、合成樹脂製の函等の場合は簡単に錠止タブを外して折り畳みことが難しい、特許文献１０のものは、蓋のロックで底板に適用したとしても、重い物品を収納した時に函の底が抜けてしまう、特許文献１１のものは、主フラップと舌フラップとに逆向きの係止片を設け、底組立状態で逆向き重合させた底止装置であるが、やはり重い物品を収納した時に函の底が抜けてしまう恐れがある、特許文献１２のものは、厚紙、段ボール紙の材料にて形成した箱の外蓋に、Ｌ字型切込みとこの切込みにより折り曲げできる数本の折り曲げ線とを設けて封止部とし、内蓋には２枚の係止片を両端に設け、前記Ｌ字型切込みとこの切込み且つ折り曲げ線で折り曲げした封止部の先端を内蓋に、この内蓋に設けた係止片により移動のないように挿入して蓋の封止をしたもので、蓋のロックで底板に適用したとしても、重い物品を収納した時に係止片に加重が掛かり係止片の折り曲げ線が破損してしまう恐れがあり、函の底が抜けてしまう恐れがある、特許文献１３、１４のものは、左右の袖片に横切込みを設け、折り返し底片の左右両辺部に袖片の横切込み侵入する係合舌片を設けると共に切込みのある封鎖口を設け、締括覆片に封鎖口と横切込とに捜嵌係合すべき逆止封緘突片を設けたもの、と左右の袖片に横切込みを設けていないものとがあるが、これらいずれのものも重い物品を収納した時に函の底が抜けてしまう恐れがある、特許文献１５、１６のものは、構造が複雑でこのものもやはり合成樹脂製の函等の場合は、簡単に操作できない。このように、これら従来のものでは、段ボール板、紙製の厚板、プラスチック製シート、中空構造板、中空積層板で芯部材が一体成形による合成樹脂製の函の場合には簡単に底片部材を差し込んだり、外したりとの操作が容易にできない、また、構造が複雑であったり、合成樹脂製の函等の場合は簡単に操作できない、さらに、重い物品を収納した時に函の底が抜けてしまう恐れがあり、またさらに、段ボール板、紙製の厚板、プラスチック製シート、中空構造板、中空積層板で芯部材が一体成形による合成樹脂製の函の場合には簡単に内外のフラップをロックできにくかったり、底板に適用したとしても、重い物品を収納した時に係止片に加重が掛かり係止片の折り曲げ線が破損してしまう恐れがあり、函の底が抜けてしまう恐れがある。そこで、紙、段ボール板、紙製の厚板、プラスチック製シート、中空構造板、中空積層板で芯部材が一体成形による合成樹脂製の函の底抜け防止手段を簡単な構造で、函の従来の組み立てで簡単に、かつ重い物品でも確実に係合し、外ずれにくい底抜け防止手段を施した底抜け防止函を提案した。
【発明が解決しようとする課題】
【０００４】  そこで、第１に、函の凸状と凹状の底面外フラップの端縁に所望長さで所望幅の折返し連結片を折り目を介して設け、簡単な構造で、函の従来の組み立てで簡単に、かつ重い物品でも確実に係合し、外ずれにくい底抜け防止手段を施した底抜け防止函を提供すること。第２に、第１の課題に加えて、つま面の下端縁に設けた底面内フラップをく字形とすることで、凹状の底面外フラップの両基端と係合させることで、より外ずれにくい底抜け防止手段を施した底抜け防止函を提供すること。第３に、第１の課題に加えて、凸状と凹状の底面外フラップの下端縁とつま面の下端縁の交差点から所望の角度で折り畳み用の罫線を設け、この所望の角度はつま面の下端縁に設けた台形の底面内フラップの凹状の底面外フラップの下端縁とつま面の下端縁の交差点からの傾斜と同じ角度にすることで、台形の底面内フラップと二枚の凹状の底面外フラップとが函の内側へ折り畳めると共に、ワンタッチで組み立てれて、かつ底抜けが防止できる底抜け防止函を提供すること。第４に、第１乃至第３のいずれかの課題に加えて、所望長さで所望幅の係合片を別体で形成し、この係合片を凸状の底面外フラップの図面に対して外側と、凹状の底面外フラップの図面に対して内側の所望位置とに、これら係合片の所望位置が内側縁と係合片の外側縁とが面合わせで相対時するように接合させることで、凸状と凹状の底面外フラップの端縁に所望長さで所望幅の折返し連結片を折り目を介して設けたものに比べて、これら係合片が余計な面積の材料を必要とせず、これら係合片を函の裁断した時の切れ端でよく、コストの低減につながる底抜け防止函を提供すること。
【課題を解決するための手段】
【０００５】  本発明は上記課題を解決するために、第１に、紙、段ボール板、紙製の厚板、プラスチック製シート、プラスチック段ボールを用いて側面の下端縁に凸状と凹状の底面外フラップと、つま面の下端縁に直角な底面内フラップと、側面の外端縁に継ぎしろとを設けた函において、側面に設けられた凸状と凹状の底面外フラップの端縁に、所望長さで所望幅の折返し連結片を折り目を介して設け、この折り目で側面の凸状の底面外フラップの折返し連結片を図面に対して外折として底面外フラップの図面に対して外側に重ね合わ、凹状の底面外フラップの折返し連結片を図面に対して内折として底面外フラップ５の図面に対して内側に重ね合わせたことを特徴とする底抜け防止函である。第２に、上記つま面の下端縁に設けた各底面内フラップを底面内フラップの先端部位をく字形とし、側面に設けられた凹状の底面外フラップの両基部と上記各底面内フラップの先端部位のく字形とを係合させたことを特徴とする請求項１に記載の底抜け防止函である。第３に、上記側側面の下端縁にそれぞれ凹状の底面外フラップを設け、この二枚の凹状の底面外フラップの下端縁とつま面の下端縁の交差点から所望の角度で折り畳み用の傾斜罫線を設け、この所望の角度はつま面の下端縁に設けた台形の底面内フラップの傾斜と同じ角度であることを特徴とする請求項１に記載の底抜け防止函である。第４に、上記所望長さで所望幅の係合片を別体で形成し、この係合片を凸状の底面外フラップの図面に対して外側と、凹状の底面外フラップの図面に対して内側の所望位置とに、これら係合片の所望位置が内側縁と係合片の外側縁とが面合わせで相対時するように接合したことを特徴とする請求項１乃至請求項３のいずれか１項に記載の底抜け防止函である。
【効果】
【０００６】  第１に、紙、段ボール板、紙製の厚板、プラスチック製シート、プラスチック段ボールのいかなる材料の函にも適用できると共に、函の底抜け防止手段が簡単な構造で、函の従来の組み立てで簡単に、かつ重い物品でも確実に係合し、外ずれて事故を起こすことがない底抜け防止手段を施した底抜け防止函である。第２に、第１の効果に加えて、より外ずれにくい底抜け防止手段となり、また厚紙やプラスチック製シートやプラスチック段ボールは勿論、薄いプラスチック製シート、紙に適用できる底抜け防止手段を施した底抜け防止函である。第３に、第１の効果に加えて、二枚の凹状の底面外フラップの下端縁とつま面の下端縁の交差点から所望の角度で折り畳み用の傾斜罫線を設け、この所望の角度はつま面の下端縁に設けた台形の底面内フラップの傾斜と同じ角度にすることで、底面内フラップと凸状と凹状の底面外フラップとが函の内側へ折り畳めると共に、ワンタッチで組み立てれて、かつ底抜けが防止できる底抜け防止函を提供すること。第４に、第１乃至第３のいずれかの効果に加えて、所望長さで所望幅の係合片を別体で形成し、この係合片を凸状の底面外フラップの図面に対して外側と、凹状の底面外フラップの図面に対して内側の所望位置とに、これら係合片の所望位置が内側縁と係合片の外側縁とが面合わせで相対時するように接合させることで、凸状と凹状の底面外フラップの端縁に所望長さで所望幅の折返し連結片を折り目を介して設けたものに比べて、係合片の取り付け位置が自由にできのでいかなるサイズの函にも適用できる、また、裁断時にこれら係合片が余計な面積の材料を必要とせず、これら係合片を函の裁断した時の切れ端でよく、コストの低減につながる、さらには係合片を所望の材料の選択ができるので、より強固な底抜け防止防止手段となる底抜け防止函である。
【発明を実施するための最良の形態】
【０００７】  以下、本発明の底抜け防止函について、図１乃至図３の実施例に基づいて説明する。函の材質としては紙、段ボール板、紙製の厚板、プラスチック製シート、中空構造板又は中空積層板で芯部材が一体成形による合成樹脂製のプラスチック段ボールを使用るとよい。この中空構造板又は中空積層板で芯部材が一体成形による合成樹脂製のプラスチック段ボールとは、好ましくは半透明或いは種々な色の合成樹脂製でポリプロピレン系又はポリエチレン系の中空構造板、中空積層板で芯部材が一体成形したもの（以下、「プラスチック段ボール」という）である。一般に、ＪＩＳ、Ｚ、１５０７（段ボール箱およびファイバー箱の形式）では、Ａ形、Ｂ形、Ｃ形の３基本型をさらにＡ形（Ａ−１からＡ−５まで）５種類、Ｂ形（Ｂ−１からＢ−６まで）６種類、Ｃ形（Ｃ−１からＣ−３）３種類の計１４種の形に分けている、本発明の函の形は、ＪＩＳＡ４０２１５とＪＩＳＡ４０２１６のＡ形の両側面の底フラップのそれぞれの端縁に図１に示すように、余計な折返し連結片（一種の継ぎしろ）（図１の余計な折返し連結片のない状態の基本図がＪＩＳＡ４０２１５である）を設けることで、底抜け防止ができるのである。また、図４に示すように、ＪＩＳＡ４０２１６のようにつま面の底フラップが図１に示す基本図のＪＩＳＡ４０２１５のつま面の底フラップが直角なのに対してくの字になっているものにも適用できる。さらに、図５に示すように、底フラップに折り畳み用の折り目を設けた（ＪＩＳＡ０７１２）ものの底フラップの端縁に余計な折返し連結片を設けて底フラップを内側に折り畳めるものにも、底抜け防止ができるのである。【０００８】  また、図１乃至図６に基づいてさらに説明する。函の材質としては紙、段ボール板、紙製の厚板、プラスチック製シート、プラスチック段ボールであって、好ましくは段ボール板、紙製の厚板、プラスチック製シート、プラスチック段ボールのシートを図１に示すように余計な折返し連結片のない状態の基本図がＪＩＳＡ４０２１５のように裁断、罫入れをすると、二側面１、３と、この側面１。３に連設されたつま面２、４と、これら側面とつま面の上端縁に外フラップ１０、１２と内フラップ１１、１３と、これら側面とつま面の下端縁に凸状と凹状の底面外フラップ５、７と直角な底面内フラップ６、８と側面１の外端縁に継ぎしろ９とで基本の函が構成される。本発明の底抜け防止手段は、側面１、３の下端縁に凸状と凹状の底面外フラップ５、７の端縁の所望長さに所望幅の余計な折返し連結片１４、１５を一点鎖線で示すような折り目を介して設け、図２に示すように、この一点鎖線で示すような折り目で、側面１の凸状の底面外フラップ５の折返し連結片１４を図面に対して外折として底面外フラップ５の図面に対して外側に（一点鎖線で示した）重ね合わせた、凹状の底面外フラップ７の折返し連結片１５を図面に対して内折として底面外フラップ５の図面に対して内側に（実線で示した）重ね合わせる。そして、図５（Ａ）のように側面１の外端縁の継ぎしろ９をつま面４の内端縁に接合し、ついで両つま面２、４の直角な底面内フラップを凹状の底面外フラップ７の両凹状へ挿入し、最後に折返し図面に対して外側に重ね合わされた連��片１５を設けた凸状の底面外フラップ５を凹状の底面外フラップ７の両凹状へ挿入すると、図に対して内側に重ね合わされた凹状の底面外フラップ７の折返し連結片１５の内側縁２１と凸状の底面外フラップ５の図面に対して外側に重ね合わせられた折返し連結片１４の外側縁２０とが図５（Ｂ）に示すように面合わせで相対時する。このように組み立てられた函に重い物を収納されても、凸状の底面外フラップ５の折返し連結片１４の外側縁１６と凹状の底面外フラップ７の折返し連結片１５の内側縁１７とで加重を支えるもので、凸状と凹状の底面外フラップ５、７の端縁の所望長さに所望幅の余計な折返し連結片１４、１５が破損しない限り、凸状と凹状の底面外フラップ５、７が底抜けすることがない。この場合連結片１４、１５は重ね合わせた状態でも十分に加重に耐えれるが、紙、段ボール板、紙製の厚板の場合は接着剤、糊で接合するとさらによいし、プラスチック製シート、プラスチック段ボールの場合は接着剤、金属製或いは合成樹脂製のリベット又はランス止めで接合するとよい。このように、本発明で「接合」とは紙製の材料の場合は接着剤、糊で取り付けることを意味し、プラスチック製シート、プラスチック段ボールの材料の場合は接着剤、金属製或いは合成樹脂製のリベット又はランス止めで取り付けることを意味する。また、プラスチック製シート、プラスチック段ボールの場合は罫入れを熱曲げの断面Ｒ又はＵ或いはＶ字状のみぞで成形してもよい。さらには、所望長さに所望幅の余計な折返し連結片１４、１５と説明してあるが、折返し連結片１４、１５の設ける長さは使用される函の材料と収納される物の加重を勘案して折返し連結片の長さや幅の寸法を決めればよい、当然組み立てた時に折返し連結片が組み立ての支障にならないように連結片１５の内側縁と連結片１４の外側縁とが面合わせで相対時するように折返し連結片の長さや幅の寸法を決めればよい。【０００９】  図３に示すように、他の実施例であって、ＪＩＳＡ４０２１６のようにつま面の底フラップが図１に示す基本図のＪＩＳＡ４０２１５のつま面６ａ、８ａの底フラップが直角なのに対してくの字１９と逆くの字になっているものにも適用できる。上述のＪＩＳＡ４０２１５に詳述したので、図示の説明のみにする。図１と同じ構成の符号と図３の同じものには同じ符号とし数字の後にａを付けてある。さらに、図４に示すように、さらに他の実施例であって、底フラップに折り畳み用の折り目を設けた（ＪＩＳＡ０７１２）ものの底フラップの端縁に余計な折返し連結片を設けて底フラップを内側に折り畳めるものにも、底抜け防止ができるのである。この折り畳み用の罫線は、この二枚の凹状の底面外フラップ５ｃ、７ｃの下端縁とつま面２ｃ、４ｃの下端縁の交差点から所望の角度で折り畳み用の罫線１６、１７を設け、この所望の角度はつま面の下端縁に設けた台形の底面内フラップと凹状の底面外フラップの下端縁とつま面の下端縁の交差点からの傾斜と同じ角度１８である、この場合も基本的には上述のＪＩＳＡ４０２１５と同じなので、図示の説明のみにする。図１と同じ構成の図４のものには同じ符号とし数字の後にｃを付けてある。図３他の実施例でも、図４のさらに他の実施例ものも底抜けすることがない。【００１０】  図６に一部示した、さらに他の実施例のものは、図１、図３、図４に示し各実施例のものの、各々の折返し連結片１４、１５、１４ａ、１５ａ、１４ｃ、１５ｃを別体の所望長さの所望幅の係合片１４ｂ、１５ｂとし、各々の凸状の底面外フラップ５、５ａ、５ｃの図面に対して外側の所望位置と、凹状の底面外フラップ７、７ａ、７ｃの各図に対して内側の所望位置で、係合片の内側縁と係合片の外側縁とが面合わせで相対時するように、重ね合わせ接合してもよい。またこれらの内側縁と外側縁とが面合わせで相対時すればよいのであるが、面合わせで相対時する位置は好ましくは、つま面の底の中間部位が最適である。他の構成は各実施例のものと変わらないので、ことさら詳述しなくても理解できるものである。
【産業上の利用可能性】
【００１１】  請求項１の発明によれば、側面１の外端縁の継ぎしろ９をつま面４の内端縁に接合し、ついで両つま面２、４の直角な底面内フラップを凹状の底面外フラップ７の両凹状へ挿入し、最後に連結片１５を設けた凸状の底面外フラップ５を凹状の底面外フラップ７の両凹状へ挿入すると、図に対して内側に重ね合わされた凹状の底面外フラップ７の折返し連結片１５の内側縁１７と凸状の底面外フラップ５の図面に対して外側に重ね合わせられた折返し連結片１４の外側縁１６とが面合わせで相対時するので、函に重い物を収納しても、凸状の底面外フラップ５の折返し連結片１４の外側縁１６と凹状の底面外フラップ７の折返し連結片１５の内側縁１７とで加重を支えるもので、凸状と凹状の底面外フラップ５、７の端縁の折返し連結片１４、１５が破損しない限り、凸状と凹状の底面外フラップ５、７が底抜けすることがない底抜け防止函を提供することができる。請求項２の発明によれば、底面内フラップをく字形とすることで、凹状の底面外フラップの両基端と係合させることで、より外ずれにくい底抜け防止手段を施した底抜け防止函を提供することができる。請求項３の発明によれば、底面内フラップと二枚の凹状の底面外フラップとが函の内側へ折り畳めると共に、ワンタッチで組み立てれて、底抜け防止函を提供することができる。請求項４の発明によれば、これら係合片が余計な面積の材料を必要とせず、函の裁断した時の切れ端でよく、コストの低減につながる底抜け防止函を提供することができる。
【図面の簡単な説明】
【００１２】
【図１】  本発明の函の展開図である。
【図２】  本発明の折返し連結片を外内側に重ね合わせた函の展開図である。
【図３】  本発明の他の実施例の一部要部の函の展開図である。
【図４】  本発明の他の実施例の函の展開図である。
【図５】  （Ａ）、（Ｂ）は本発明の函の一部要部の組立て中と組立完了の斜視図である。
【図６】  本発明の他の実施例の一部要部の組立て中の斜視図である。
【符号の説明】
【００１３】  １、３、１ａ、３ａ、１ｃ、３ｃ                側面
２、４、２ａ、４ａ、２ｃ、４ｃ                つま面
５、５ａ、５ｃ                                凸状の底面外フラップ
６、８、６ａ、８ａ、６ｃ、８ｃ                直角な底面内フラップ
７、７ａ、７ｃ                                凹状の底面外フラップ
１０〜１３                                    内外フラップ
１４、１５、１４ａ、１５ａ、１４ｃ、１５ｃ    折返し連結片
１４ｂ、１５ｂ                                別体の係合片
【図１】
2006131300.tif 000003
【図２】
2006131300.tif 000004
【図３】
2006131300.tif 000005
【図４】
2006131300.tif 000006
【図５】
2006131300.tif 000007
【図６】
2006131300.tif 000008